(57)【要約】【課題】空気の改質機能を有し、かつ、配管経路の自由度を向上させた配管接続部材を提供する。【解決手段】配管接続部材１Ａは、給気ダクト４ＳＡが接続される第１の接続部２０ａを一方の端部に有し、イオン発生器３が取り付けられる直管部２０と、直管部２０の他方の端部に取り付けられ、空気が吹き出される給気グリル５ＳＡが接続される第２の接続部２１ａを、直管部２０に取り付けられる側と反対側の端部に有し、曲げ方向と伸縮方向に変形可能な可撓部２１を備える。【選択図】    図３
2011099638.tif 000002
【特許請求の範囲】
【請求項１】
空気が通る風路を構成する管部と、
前記管部を通る空気を改質する空気改質手段を備え、
前記管部は、
空気が通るダクト部材が接続される第１の接続部を一方の端部に有し、前記空気改質手段が取り付けられる直管部と、
前記直管部の他方の端部に取り付けられ、空気が吹き出される吹出口または空気が吸い込まれる吸込口が接続される第２の接続部を、前記直管部に取り付けられる側と反対側の端部に有し、少なくとも曲げ方向に変形可能な可撓部とを備えた
ことを特徴とする配管接続部材。
【請求項２】
前記可撓部は、曲げ方向と伸縮方向に変形可能に構成される
ことを特徴とする請求項１記載の配管接続部材。
【請求項３】
前記空気改質手段は、前記管部を通る空気にイオンを供給するイオン発生器である
ことを特徴とする請求項１または２記載の配管接続部材。
【請求項４】
空気が通るダクト部材と空気が吹き出される吹出口を接続する配管接続部材と、
空気を吸い込み、吸い込んだ空気を吹き出す送風手段を有し、前記ダクト部材が接続される送風装置とを備え、
前記配管接続部材は、
空気が通る風路を構成する管部と、
前記管部を通る空気を改質する空気改質手段を備え、
前記管部は、
空気が通るダクト部材が接続される第１の接続部を一方の端部に有し、前記空気改質手段が取り付けられる直管部と、
前記直管部の他方の端部に取り付けられ、空気が吹き出される吹出口が接続される第２の接続部を、前記直管部に取り付けられる側と反対側の端部に有し、少なくとも曲げ方向に変形可能な可撓部とを備えた
ことを特徴とする送風システム。
【請求項５】
前記配管接続部材は、空気が吸い込まれる吸込口が前記第２の接続部に接続され、
前記送風装置で吸い込まれる空気が通るダクト部材と前記吸込口が、前記配管接続部材で接続される
ことを特徴とする請求項４記載の送風システム。
【請求項６】
請求項４または５記載の送風システムを備えた
ことを特徴とする建物。
【発明の詳細な説明】
【技術分野】
【０００１】
本発明は、空気が通るダクト部材と、空気の吹出口または吸込口を接続する配管接続部材、この配管接続部材が用いられる送風システム及びこの送風システムが用いられる建物に関する。
【背景技術】
【０００２】
住宅等に設置される送風装置として、給排気を行う換気装置本体を天井裏等に設置すると共に、各部屋に給気グリルを設置し、換気装置本体と給気グリルを空気が通るダクトで接続して、各部屋の換気を行えるようにした換気システムが提案されている。
【０００３】
このような換気システムでは、空気を改質するためのイオンを発生させるイオン発生器を給気グリルに備え、給気グリルが設置されている部屋にイオンを供給できるようにした技術が提案されている（例えば、特許文献１参照）。
【０００４】
従来は、エルボータイプと称されるＬ字型の配管を有した給気グリルと、ストレートタイプと称される直線状の配管を有した給気グリルが用意されており、設置場所等に応じて使用可能な給気グリルが決められていた。
【先行技術文献】
【特許文献】
【０００５】
【特許文献１】特許第４２２３３０６号公報
【発明の概要】
【発明が解決しようとする課題】
【０００６】
従来は、給気グリルの配管の形状が決められており、設置場所に制約が生じていた。また、給気グリルにイオン発生器を備えることで、給気グリルが大型化することでも設置場所に制約が生じていた。更に、イオン発生器を備えていない給気グリルも存在し、イオン発生器を備えた給気グリルを用意しなければ、空気改質機能を持たせることができなかった。
【０００７】
本発明は、このような課題を解決するためになされたもので、空気の改質機能を有し、かつ、配管経路の自由度を向上させた配管接続部材、この配管接続部材が用いられる送風システム及びこの送風システムが用いられる建物を提供することを目的とする。
【課題を解決するための手段】
【０００８】
上述した課題を解決するため、本発明は、空気が通る風路を構成する管部と、管部を通る空気を改質する空気改質手段を備え、管部は、空気が通るダクト部材が接続される第１の接続部を一方の端部に有し、空気改質手段が取り付けられる直管部と、直管部の他方の端部に取り付けられ、空気が吹き出される吹出口または空気が吸い込まれる吸込口が接続される第２の接続部を、直管部に取り付けられる側と反対側の端部に有し、少なくとも曲げ方向に変形可能な可撓部とを備えた配管接続部材である。
【０００９】
本発明の配管接続部材では、空気の吹出口または吸込口に空気改質手段を備えていなくても、空気改質機能を持たせることができ、吹出口または吸込口の小型化が可能である。また、本発明の配管接続部材では、可撓部を直線状とするか、または任意の方向かつ角度に曲げることで、直線状の配管と曲がり部分のある配管の何れであっても構成できる。これにより、１種類の配管接続部材を用いることで、吹出口または吸込口の設置場所に応じて、曲がり部分のある配管経路でも直線状の配管経路でも対応可能となる。
【００１０】
本発明の送風システムは、上述した配管接続部材が用いられるものであり、空気が通るダクト部材と空気が吹き出される吹出口を接続する配管接続部材と、空気を吸い込み、吸い込んだ空気を吹き出す送風手段を有し、ダクト部材が接続される送風装置とを備え、配管接続部材は、空気が通る風路を構成する管部と、管部を通る空気を改質する空気改質手段を備え、管部は、空気が通るダクト部材が接続される第１の接続部を一方の端部に有し、空気改質手段が取り付けられる直管部と、直管部の他方の端部に取り付けられ、空気が吹き出される吹出口が接続される第２の接続部を、直管部に取り付けられる側と反対側の端部に有し、少なくとも曲げ方向に変形可能な可撓部とを備えたものである。
【００１１】
本発明の送風システムでは、送風装置及び空気の吹出口に空気改質手段を備えていなくても、空気改質機能を持たせることができ、送風装置及び吹出口の小型化が可能である。また、本発明の換気システムでは、配管接続部材の可撓部を直線状とするか、または任意の方向かつ角度に曲げることで、直線状の配管と曲がり部分のある配管の何れであっても構成できる。これにより、１種類の配管接続部材を用いることで、吹出口等の設置場所に応じて、曲がり部分のある配管経路でも直線状の配管経路でも対応可能となる。
【００１２】
本発明の建物は、上述した送風システムが用いられるものであり、空気改質手段を備えた配管接続部材が用いられることで、送風装置及び空気の吹出口に空気改質手段を備えていなくても、改質された空気を供給することができる。また、本発明の建物では、曲がり部分のある配管経路でも直線状の配管経路でも対応可能な配管接続部材が用いられることで、吹出口等の設置場所の自由度を向上させることができる。
【発明の効果】
【００１３】
本発明の配管接続部材によれば、空気改質手段と曲げ方向に変形可能な可撓部を備えることで、曲がり部分のある配管経路でも直線状の配管経路でも対応可能であり、空気の改質機能を有した配管経路の自由度を向上させることができる。このように、１種類の配管接続部材を用いて、曲がり部分のある配管経路でも直線状の配管経路でも対応可能とすることで、複数種類の部材を用意する場合と比較して、低コスト化を実現できる。また、空気の吹出口または吸込口に空気改質手段を備える必要がなく、吹出口または吸込口の小型化が可能であるとともに、吹出口または吸込口の低コスト化を実現できる。
【００１４】
本発明の送風システムによれば、上述した配管接続部材が用いられることで、配管経路に応じて複数種類の部材を用意することなく、曲がり部分のある配管経路でも直線状の配管経路でも対応可能である。本発明の建物によれば、上述した送風システムが用いられることで、吹出口等の設置場所の自由度を向上させることができる。
【図面の簡単な説明】
【００１５】
【図１】本実施の形態の配管接続部材の一例を示す側面図である。
【図２】本実施の形態の配管接続部材の内部構成の一例を示す側断面図である。
【図３】本実施の形態の配管接続部材の使用例を示す側面図である。
【図４】本発明の配管接続部材が用いられた送風システムの一例を示す構成図である。
【図５】本実施の形態の送風システムを構成する送風装置の一例を示す構成図である。
【発明を実施するための形態】
【００１６】
以下、図面を参照して本発明の配管接続部材、配管接続部材が用いられる送風システム及び送風システムが用いられる建物の実施の形態について説明する。
【００１７】
＜本実施の形態の配管接続部材の構成例＞
図１は、本実施の形態の配管接続部材の一例を示す側面図、図２は、本実施の形態の配管接続部材の内部構成の一例を示す側断面図である。また、図３は、本実施の形態の配管接続部材の使用例を示す側面図である。
【００１８】
本実施の形態の配管接続部材１Ａは、空気が通る風路を形成する管部２と、管部２を通る空気にイオンを供給するイオン発生器３を備える。管部２は、イオン発生器３が取り付けられる直管部２０と、曲げ方向及び伸縮方向に変形可能な可撓部２１を備える。
【００１９】
可撓部２１は、円筒形状の管状部材の長さ方向に沿った周面の断面形状を蛇腹状の波形として、伸縮する方向及び曲げ方向に変形可能で、かつ、変形した形状を保持可能に構成される。
【００２０】
配管接続部材１Ａは、直管部２０の端部に可撓部２１が取り付けられ、可撓部２１を任意の方向及び角度に曲げることが可能であると共に、可撓部２１を任意の長さに伸縮可能である。
【００２１】
配管接続部材１Ａは、図３に示すように、ダクト部材である給気ダクト４ＳＡと吹出口である給気グリル５ＳＡを接続するため、可撓部２１が取り付けられる側と反対側の直管部２０の端部に、給気ダクト４ＳＡとの第１の接続部２０ａを備える。また、直管部２０が取り付けられる側と反対側の可撓部２１の端部に、給気グリル５ＳＡとの第２の接続部２１ａを備える。
【００２２】
イオン発生器３は空気改質手段の一例で、略同数の正イオンと負イオンがイオン放出面３０から放出される。イオン発生器３の原理について説明すると、イオン発生器３は、図示しない一対の電極が誘電体を介して対向配置され、電極間に家庭用交流電源等から取った交流電圧を昇圧して印加することにより、コロナ放電を起こし、空気中の酸素ないしは水分が電離によりエネルギーを受けてイオン化し、Ｈ+（Ｈ2Ｏ）m（ｍは任意の自然数）と、Ｏ2-（Ｈ2Ｏ）n（ｎは任意の自然数）が主体のイオンを放出するものである。
【００２３】
これらＨ+（Ｈ2Ｏ）m及びＯ2-（Ｈ2Ｏ）nは、浮遊菌の表面に付着し、化学反応して活性種であるＨ2Ｏ2または・ＯＨを生成する。Ｈ2Ｏ2または・ＯＨは、極めて強力な活性を示すため、これらにより、空気中の浮遊細菌を取り囲んで除去することができる。ここで、・ＯＨは活性種の１種であり、ラジカルのＯＨを示している。
【００２４】
これにより、イオン発生器３で略同数の正イオンと負イオンを発生させ、管部２を通る空気に略同数の正イオンと負イオンを供給することで、空気中の浮遊雑菌が除去される。ここで、イオン発生器３は、タバコ臭等の脱臭機能も有している。また、空気改質手段はイオン発生器に限るものではなく、加湿、除湿、空気清浄等の機能を有するものであっても良く、空気を改質する機能を有するものであれば良い。
【００２５】
直管部２０は直線状で、イオン発生器３が取り付けられる開口部２２が形成される。イオン発生器３は、イオン放出面３０が直管部２０の内周面と略同一となるように、直管部２０の外側に取り付けられる形態であっても良いし、イオン放出面３０が直管部２０の内周面から内側に向けて突出するように、直管部２０の内側に一部を突出させて取り付けられる形態であっても良い。以下の例では、イオン発生器３が直管部２０の内側に突出させて取り付けられる形態について説明する。
【００２６】
配管接続部材１Ａは、イオン発生器３が取り付け部材６に取り付けられ、イオン発生器３が取り付けられた取り付け部材６が、直管部２０の開口部２２に取り付けられる。なお、配管接続部材１Ａは、イオン発生器３を駆動する基板が実装される図示しない基板ボックスが、取り付け部材６を介して直管部２０に取り付けられる。
【００２７】
取り付け部材６は、イオン発生器３が固定される爪部６０を有し、爪部６０で所定の位置に固定されたイオン発生器３のイオン放出面３０の前面に、イオン放出面３０の前方と、空気の流れる方向に沿った上流側と下流側に開口を有した空間６１が形成される。
【００２８】
取り付け部材６は、イオン発生器３のイオン放出面３０の前方の開口に、人の指が入らない程度の大きさで格子が設けられ、空間６１の高さを、空気の流れる方向に沿った上流側と下流側の開口から指が入らない程度とした構成である。
【００２９】
取り付け部材６の内周面と接するイオン発生器３の外周面には、封止部材としてのパッキン６２が貼り付けられ、パッキン６２が貼り付けられたイオン発生器３が取り付け部材６に挿入されることで、イオン発生器３が爪部６０で所定の位置に固定される。イオン発生器３が取り付け部材６に固定されると、イオン発生器３と取り付け部材６との間に入るパッキン６２によって、イオン発生器３と取り付け部材６との取り付け部位での気密が保たれる。
【００３０】
また、直管部２０の開口部２２の内周面と接する取り付け部材６の外周面には、封止部材としてのパッキン６３が貼り付けられ、イオン発生器３が取り付けられると共に、パッキン６３が貼り付けられた取り付け部材６が、直管部２０の開口部２２に挿入され、図示しないネジ等により直管部２０に固定される。取り付け部材６が直管部２０に固定されると、取り付け部材６と直管部２０の開口部２２との間に入るパッキン６３によって、取り付け部材６と直管部２０との取り付け部位での気密が保たれる。
【００３１】
これにより、配管接続部材１Ａは、管部２を通る空気が、イオン発生器３と取り付け部材６との取り付け部位、及び取り付け部材６と直管部２０との取り付け部位から漏れることが防止される。
【００３２】
また、配管接続部材１Ａは、イオン発生器３が取り付け部材６により管部２に取り付けられると、イオン発生器３のイオン放出面３０が、直管部２０の内周面から所定の高さで突出した位置となり、イオン放出面３０の前面に形成される空間６１が、管部２による風路中に配設される。
【００３３】
配管接続部材１Ａは、直管部２０の第１の接続部２０ａに図３に示す給気ダクト４ＳＡが接続され、可撓部２１の第２の接続部２１ａに給気グリル５ＳＡが接続されて、給気ダクト４ＳＡから配管接続部材１Ａを通る空気が給気グリル５ＳＡから吹き出される。
【００３４】
配管接続部材１Ａでは、イオン発生器３のイオン放出面３０の前面に形成された空間６１に、管部２を通る空気の流れに対して上流側の開口から空気が取り込まれることで、給気ダクト４ＳＡから吹き出されて管部２を通る空気が、イオン発生器３のイオン放出面３０に沿って流れる。
【００３５】
イオン発生器３が駆動されて、イオン放出面３０から略同数の正イオンと負イオンが放出されると、イオン発生器３のイオン放出面３０に沿って流れる空気に、略同数の正イオンと負イオンが供給される。
【００３６】
正イオンと負イオンが供給された空気は、管部２を通る空気の流れに対して下流側の開口及びイオン放出面３０と対向した開口部から、管部２を通る空気の流れによって吹き出され、略同数の正イオンと負イオンを含む空気が給気グリル５ＳＡから吹き出される。
【００３７】
断面形状が円形の管部２の内部を通る空気は、管部２の内周面に近い側では風速が遅く、中心に向かって風速が徐々に速くなり、管部２の中心付近で最も風速が速くなる。
【００３８】
配管接続部材１Ａでは、取り付け部材６によって直管部２０の内周面から突出させてイオン発生器３が取り付けられ、イオン発生器３のイオン放出面３０が、直管部２０の中心付近に近づけられることで、正イオンと負イオンを放出するイオン放出面３０が、管部２の内部において風速の速い位置に配設される。このように、イオン発生器３のイオン放出面３０が、管部２の内部で風速の速い位置に配設されると、給気グリル５ＳＡから吹き出される空気中のイオンの数を増加させることができる。
【００３９】
＜本実施の形態の配管接続部材の使用例＞
次に、図３等を参照して、本実施の形態の配管接続部材１Ａの使用例について説明する。
【００４０】
図３（ａ）及び図３（ｂ）では、給気グリル５ＳＡが住宅等の建物の天井１００に取り付けられた例を示す。給気ダクト４ＳＡは、通常、天井１００に沿うように配置される。これに対して、天井１００の取り付けられた給気グリル５ＳＡは、ダクトとの接続箇所が上方を向いており、給気ダクト４ＳＡの配置される方向と略直交する。
【００４１】
そこで、配管接続部材１Ａは、直管部２０の端部の第１の接続部２０ａを給気ダクト４ＳＡに接続する。また、可撓部２１を略直角に曲げ、曲げられた可撓部２１の端部の第２の接続部２１ａを給気グリル５ＳＡに接続する。このように、配管接続部材１Ａを用いることで、Ｌ字型の配管接続部材を用いることなく、配管経路を略直角に曲げることができる。可撓部２１は、この曲げられた形状を維持できるようになっている。
【００４２】
また、天井裏の空間の高さ方向の寸法が狭い等により、天井１００と給気ダクト４ＳＡとの距離が狭い場合は、図３（ａ）に示すように、可撓部２１の曲げられた部分より先を縮めることで、配管接続部材１Ａの設置高さを低く抑えることができる。一方、天井１００と給気ダクト４ＳＡとの距離が大きくなるような場合は、図３（ｂ）に示すように、可撓部２１の曲げられた部分より先を伸ばすことで、配管接続部材１Ａの設置高さを高くすることができる。
【００４３】
図３（ｃ）では、給気グリル５ＳＡが住宅等の建物の天井１００に形成された段差部分の壁面１０１に取り付けられた例を示す。天井１００の段差部分の壁面１０１に取り付けられた給気グリル５ＳＡは、ダクトとの接続箇所が横を向いており、給気ダクト４ＳＡの配置される方向と略平行となる。
【００４４】
そこで、配管接続部材１Ａは、直管部２０の端部の第１の接続部２０ａを給気ダクト４ＳＡに接続する。また、可撓部２１を直線状として、端部の第２の接続部２１ａを給気グリル５ＳＡに接続する。このように、配管接続部材１Ａを用いることで、直線状の配管経路とすることも可能である。
【００４５】
従って、１種類の配管接続部材１Ａを用いることで、曲がり部分のある配管経路でも直線状の配管経路でも対応可能となる。従来は、エルボータイプと称されるＬ字型の配管を有した給気グリルと、ストレートタイプと称される直線状の配管を有した給気グリルの２種類を用意する必要があったが、本実施の形態では、１種類の配管接続部材１Ａでエルボータイプとストレートタイプの両方に対応可能となり、同一種類の製品をより多く生産できることによるコスト削減が可能となる。
【００４６】
また、配管接続部材１Ａと給気グリル５ＳＡを独立した部品とし、イオン発生器３を配管接続部材１Ａに備えたことにより、給気グリル５ＳＡの小型化が可能となり、設置場所の制約を減らすことができる。
【００４７】
一般的に、給気ダクト４ＳＡの径や、給気グリル５ＳＡのダクトとの接続箇所の径は規格が決められている。このため、配管接続部材１Ａの第１の接続部２０ａと第２の接続部２１ａを規格に合わせておけば、給気ダクト４ＳＡの配管経路や給気グリル５ＳＡの取り付け形態によらず、空気を改質する機能を持つイオン発生器３を備えた配管接続部材１Ａを、様々な給気ダクト４ＳＡと給気グリル５ＳＡに接続可能となる。これにより、イオン発生器等の空気改質手段の有無で２種類の給気グリルを用意する必要が無く、配管接続部材１Ａを用いることで、給気グリル５ＳＡにイオン発生器等の空気改質手段を備えていなくても、空気改質機能を持たせることができる。また、配管接続部材１Ａの第２の接続部２１ａは、チャンバ部を有した給気グリル５ＳＡに接続可能な構造としておけば、給気ダクト４ＳＡと直接接続可能な既存の給気グリル５ＳＡに、配管接続部材１Ａを接続することができる。
【００４８】
また、配管接続部材１Ａは、可撓部２１が曲げ方向及び伸縮方向に自在に変形可能であるので、曲げ部分の径を変えることができ、曲げ部分の径を小さくすることで、空気を改質する機能を持つ配管接続部材１Ａを、狭い空間へ設置することが可能となる。なお、可撓部２１は、本例では蛇腹形状となっているが、曲げや伸縮等、可撓できるものであれば、他の構造であっても良い。
【００４９】
＜本実施の形態の送風システム及び建物の構成例＞
図４は、本発明の配管接続部材が用いられた送風システムとしての換気システムの一例を示す構成図、図５は、本実施の形態の送風システムとしての換気システムを構成する送風装置としての換気装置の一例を示す構成図で、次に、上述した配管接続部材１Ａが用いられた送風システムとしての換気システム及び建物について説明する。
【００５０】
送風システムの一例である本実施の形態の換気システム１１は、外気ＯＡを吸い込んで給気ＳＡとして室内に吹き出すと共に、室内からの還気ＲＡを吸い込んで排気ＥＡとして屋外に排気し、かつ、外気ＯＡと還気ＲＡとの間で熱交換を行う熱交換型の換気装置１２を備える。
【００５１】
送風装置の一例である換気装置１２は、図５に示すように、外気吸込口１２０ＯＡから給気吹出口１２０ＳＡへつながる給気風路１２１ＳＡが形成され、外気吸込口１２０ＯＡから外気ＯＡを吸い込み、給気吹出口１２０ＳＡから給気ＳＡを吹き出す送風ファン１２２を備える。
【００５２】
また、換気装置１２は、還気吸込口１２０ＲＡから排気吹出口１２０ＥＡへつながる排気風路１２１ＥＡが形成され、還気吸込口１２０ＲＡから還気ＲＡを吸い込み、排気吹出口１２０ＥＡから排気ＥＡを排気する換気ファン１２３を備える。
【００５３】
更に、外気吸込口１２０ＯＡから吸い込まれた外気ＯＡと還気吸込口１２０ＲＡから吸い込まれた還気ＲＡとの間で熱交換を行う熱交換素子１２４を備える。
【００５４】
熱交換素子１２４は、給気風路１２１ＳＡを形成する素材と排気風路１２１ＥＡを形成する素材が、給気風路１２１ＳＡと排気風路１２１ＥＡを直交する向きとして積層される。熱交換素子１２４は、給気風路１２１ＳＡと排気風路１２１ＥＡが、熱伝導性を有すると共に空気を通さない隔壁で仕切られ、給気風路１２１ＳＡを通る空気と排気風路１２１ＥＡを通る空気との間で熱交換される。
【００５５】
換気装置１２は、給気吹出口１２０ＳＡに単数または複数の給気ダクトジョイント１２５ＳＡが取り付けられ、給気対象となる部屋数等に応じて、給気ダクトジョイント１２５ＳＡに図３等で説明した給気ダクト４ＳＡが接続される。給気ダクト４ＳＡには、図１等で説明した配管接続部材１Ａが接続され、配管接続部材１Ａに給気グリル５ＳＡが接続される。
【００５６】
また、換気装置１２は、外気吸込口１２０ＯＡに取り付けられた外気ダクトジョイント１２５ＯＡに外気ダクト４ＯＡが接続され、外気ダクト４ＯＡに屋外グリル５ＯＡが接続される。更に、排気吹出口１２０ＥＡに取り付けられた排気ダクトジョイント１２５ＥＡに排気ダクト４ＥＡが接続され、排気ダクト４ＥＡに屋外グリル５ＥＡが接続される。
【００５７】
また、換気装置１２は、下面にフロントパネル１２６が取り付けられ、フロントパネル１２６に形成された吸込グリル１２６ＲＡが還気吸込口１２０ＲＡとつながる。なお、換気装置１２は、給気風路１２１ＳＡと排気風路１２１ＥＡに図示しないフィルタを備え、熱交換素子１２４に埃等が付着しないように構成される。
【００５８】
換気システム１１が設置された建物７１は、図４に示すように、本例では一戸建て住宅を例にしており、居間や台所等、壁や扉７２で仕切られた複数の部屋７３ａ〜７３ｂが設けられている。
【００５９】
換気システム１１は、例えば廊下７４の天井裏に換気装置１２が設置され、図５に示すように還気吸込口１２０ＲＡとつながる吸込グリル１２６ＲＡが形成されたフロントパネル１２６が、廊下７４の天井に露出する。
【００６０】
また、各部屋７３ａ〜７３ｂの天井１００に給気グリル５ＳＡが設置され、各給気グリル５ＳＡが、図１等で説明した配管接続部材１Ａにより給気ダクト４ＳＡに接続される。
【００６１】
図４では、部屋７３ａは、平面状の天井１００に給気グリル５ＳＡが取り付けられ、図３（ａ）または図３（ｂ）に示すように、配管接続部材１Ａの可撓部２１が略直角に曲げられ、曲げられた可撓部２１に給気グリル５ＳＡが接続される。
【００６２】
一方、部屋７３ｂは、天井１００に形成された段差部分の壁面１０１に給気グリル５ＳＡが取り付けられ、図３（ｃ）に示すように、配管接続部材１Ａの可撓部２１が直線状に伸ばされ、直線状に伸ばされた可撓部２１に給気グリル５ＳＡが接続される。
【００６３】
これにより、換気システム１１では、１種類の配管接続部材１Ａを用いることで、曲がり部分のある配管経路でも直線状の配管経路でも設置可能となる。
【００６４】
また、換気システム１１は、建物７１の外壁に屋外グリル５ＯＡが設置され、屋外グリル５ＯＡに外気ダクト４ＯＡが接続される。更に、建物７１の外壁に屋外グリル５ＥＡが設置され、屋外グリル５ＥＡに排気ダクト４ＥＡが接続される。
【００６５】
建物７１は、扉７２に設けたアンダーカットＵや、図示しないガラリ等を通して各部屋７３ａ〜７３ｂと廊下７４との間等で空気が流れる構成である。これにより、各部屋７３ａ〜７３ｂの給気グリル５Ａから給気ＳＡが吹き出されると共に、各部屋７３ａ〜７３ｂの空気が、アンダーカットＵやガラリを通り廊下７４の換気装置１２から吸い込まれる空気の流れが形成される。
【００６６】
＜送風システムの動作例＞
次に、各図を参照して送風システムの一例である本実施の形態の換気システム１１の動作の一例について説明する。
【００６７】
換気システム１１は、給排気が機械換気で行われる第１種換気システムを構成し、所定時間で各部屋７３ａ〜７３ｂの空気が入れ替えられる換気風量で、２４時間連続運転される。すなわち、換気装置１２では、送風ファン１２２と換気ファン１２３が、所定の換気風量が得られる回転数で駆動される。
【００６８】
換気装置１２は、送風ファン１２２が駆動されると、給気風路１２１ＳＡを外気吸込口１２０ＯＡから給気吹出口１２０ＳＡへ向かう空気の流れが発生する。また、換気装置１２は、換気ファン１２３が駆動されると、排気風路１２１ＥＡを還気吸込口１２０ＲＡから排気吹出口１２０ＥＡへ向かう空気の流れが発生する。
【００６９】
これにより、換気装置１２では、建物外壁の屋外グリル５ＯＡから外気ダクト４ＯＡを通り外気吸込口１２０ＯＡへ外気ＯＡが吸い込まれ、熱交換素子１２４を通って給気吹出口１２０ＳＡから給気ＳＡが吹き出される。
【００７０】
また、アンダーカットＵや図示しないガラリを通して、廊下７４のフロントパネル１２６から還気吸込口１２０ＲＡへ各部屋７３ａ〜７３ｂからの還気ＲＡが吸い込まれ、熱交換素子１２４を通って排気吹出口１２０ＥＡから排気ＥＡが排出され、排気吹出口１２０ＥＡから排出された排気ＥＡは、排気ダクト４ＥＡを通り建物外壁の屋外グリル５ＥＡから屋外へ排出される。
【００７１】
そして、外気吸込口１２０ＯＡから吸い込まれた外気ＯＡと還気吸込口１２０ＲＡから吸い込まれた還気ＲＡが、熱交換素子１２４を通ることで熱交換されて、室温に近づけられた給気ＳＡが給気吹出口１２０ＳＡから吹き出される。
【００７２】
換気装置１２の給気吹出口１２０ＳＡから吹き出された給気ＳＡは、給気ダクト４ＳＡから配管接続部材１Ａを通り、給気グリル５Ａから吹き出される。
【００７３】
配管接続部材１Ａは、上述したように、図１等に示すイオン発生器３が駆動されると、イオン発生器３から略同数の正イオンと負イオンが放出され、管部２を通る空気に略同数の正イオンと負イオンが供給される。
【００７４】
これにより、換気装置１２から給気ダクト４ＳＡを通して配管接続部材１Ａに供給された給気ＳＡに、略同数の正イオンと負イオンが供給され、略同数の正イオンと負イオンを含む空気が、給気ＳＡとして給気グリル５Ａから吹き出される。
【００７５】
図４に示すような建物７１において、給気グリル５Ａが備えられた各部屋７３ａ〜７３ｂに略同数の正イオンと負イオンを含む空気が供給されることで、空気中の浮遊雑菌が除去される。
【００７６】
本実施の形態の換気システム１１では、給気ダクト４ＳＡと給気グリル５ＳＡを接続する配管接続部材１Ａにイオン発生器３を備えることで、換気装置１２及び給気グリル５ＳＡにイオン発生器等の空気改質手段を備えていなくても、空気改質機能を持たせることができる。
【００７７】
また、本実施の形態の換気システムに用いられる配管接続部材１Ａは、空気の吹出側ではなく、吸込側の配管経路に用いることができる。例えば、図４に示すように、トイレ７３ｃ等の天井１００に、吸込口としての副吸込グリル５ＲＡが取り付けられる。換気装置１２は、熱交換素子１２４を通さずに排気を行う副吸込口に副吸込ダクト４ＲＡが接続され、副吸込ダクト４ＲＡと副吸込グリル５ＲＡが、図１等で説明した配管接続部材１Ａで接続される。
【００７８】
換気装置１２が駆動されると、トイレ７３ｃ内の空気は、副吸込グリル５ＲＡから吸い込まれることで、トイレ７３ｃ内の臭気が、換気装置１２のフロントパネル１２６から吸い込まれる空気の流れで他室に漏れないようになっている。副吸込グリル５ＲＡに接続される配管接続部材１Ａにイオン発生器３を備えることで、換気装置１２に吸い込まれる空気に正イオンと負イオンを供給できる。これにより、換気装置１２に吸い込まれる空気中の浮遊雑菌等を除去することができる。
【００７９】
なお、本発明の送風システムの一例である本実施の形態の換気システムを構成する送風装置の一例である換気装置としては、上述した熱交換型の換気装置以外に、熱交換機能を有していない換気装置であっても良く、例えば、中間ダクトファンと称される給気機能のみを有した換気装置にも適用可能である。また、本発明の送風システムは、室内空気を循環させる循環機能を備えたものであっても良く、循環させる空気の給気、または、循環させる空気の吸込、あるいは、給気と吸込がダクトを通して行われるような送風装置が用いられるものであっても良い。更に、排気による換気機能に加え、室内空気を循環させる循環機能を備えたものであっても良く、例えば、送風装置として、室内空気を吸い込んで排気する排気機能と、室内空気を循環させる循環機能を備えた浴室暖房換気乾燥装置と称される換気装置が用いられるものであっても良い。また、給気による換気機能に加え、室内空気を循環させる循環機能を備えたものであっても良く、あるいは、換気機能を備えてしない循環機能のみの送風システムや、排気機能を有していないものでも良く、ダクトを通した送風機能を備えているものであれば、様々なものに適用でき、実施の形態に記載のものに限られるものではない。
【産業上の利用可能性】
【００８０】
本発明は、ダクトと給気グリル、ダクトと吸込グリル、ダクト同士を接続する配管接続部材に適用される。
【符号の説明】
【００８１】
１Ａ・・・配管接続部材、２・・・管部、２０・・・直管部、２０ａ・・・第１の接続部、２１・・・可撓部、２１ａ・・・第２の接続部、３・・・イオン発生器、４ＳＡ・・・給気ダクト、５ＳＡ・・・給気グリル、１１・・・換気システム、１２・・・換気装置、７１・・・建物、１００・・・天井、１０１・・・壁面
【図１】
2011099638.tif 000003
【図２】
2011099638.tif 000004
【図３】
2011099638.tif 000005
【図４】
2011099638.tif 000006
【図５】
2011099638.tif 000007